(57)【要約】  本願の発明に係る半導体装置は、第１半導体チップと、第２半導体チップと、第１半導体チップの上面に設けられた第１金属板と、第２半導体チップの上面に設けられた第２金属板と、第１半導体チップ、第２半導体チップ、第１金属板および第２金属板を覆う封止樹脂と、を備え、封止樹脂には、第１金属板と第２金属板との間に、封止樹脂の上面から下方に向かって延びる溝が形成され、第１金属板は、第２金属板と対向する端部に、溝を形成する封止樹脂の側面から露出する第１露出部を有し、第２金属板は、第１金属板と対向する端部に、溝を形成する封止樹脂の側面から露出する第２露出部を有する。
2020136805.tif 000002
【特許請求の範囲】
【請求項１】
第１半導体チップと、
第２半導体チップと、
前記第１半導体チップの上面に設けられた第１金属板と、
前記第２半導体チップの上面に設けられた第２金属板と、
前記第１半導体チップ、前記第２半導体チップ、前記第１金属板および前記第２金属板を覆う封止樹脂と、
を備え、
前記封止樹脂には、前記第１金属板と前記第２金属板との間に、前記封止樹脂の上面から下方に向かって延びる溝が形成され、
前記第１金属板は、前記第２金属板と対向する端部に、前記溝を形成する前記封止樹脂の側面から露出する第１露出部を有し、
前記第２金属板は、前記第１金属板と対向する端部に、前記溝を形成する前記封止樹脂の側面から露出する第２露出部を有することを特徴とする半導体装置。
【請求項２】
前記封止樹脂の外側に延び、前記第１金属板と離れて設けられ、前記第２半導体チップの裏面と電気的に接続された第１電極端子を備え、
前記第１金属板は、前記第１半導体チップの上面と前記第２半導体チップの裏面とを電気的に接続することを特徴とする請求項１に記載の半導体装置。
【請求項３】
絶縁層と、
前記絶縁層の上に設けられ、上面に前記第１半導体チップが設けられた第１導電層と、
前記絶縁層の上に設けられ、上面に前記第２半導体チップが設けられた第２導電層と、
前記絶縁層の上に設けられた第３導電層と、
前記第２導電層の上面に設けられ、前記封止樹脂の外側に延びる第１電極端子と、
前記第１導電層の上面に設けられ、前記封止樹脂の外側に延びる第２電極端子と、
前記第３導電層の上面に設けられ、前記封止樹脂の外側に延びる第３電極端子と、
を備え、
前記第１金属板は、前記第１半導体チップの上面と前記第２導電層の上面とを接続し、
前記第２金属板は、前記第２半導体チップの上面と前記第３導電層の上面とを接続し、
前記第１電極端子は、前記第２導電層の上面に前記第１金属板および前記第２半導体チップと離れて設けられ、
前記第２電極端子は、前記第１半導体チップと離れて設けられ、
前記第３電極端子は、前記第２金属板と離れて設けられることを特徴とする請求項１に記載の半導体装置。
【請求項４】
前記絶縁層の上に設けられた第４導電層および第５導電層と、
前記第１導電層の上面に設けられた第３半導体チップおよび第４半導体チップと、
前記第４導電層の上面に設けられた第５半導体チップと、
前記第５導電層の上面に設けられた第６半導体チップと、
前記第３半導体チップの上面と前記第４導電層の上面とを接続する第３金属板と、
前記第４半導体チップの上面と前記第５導電層の上面とを接続する第４金属板と、
を備え、
前記第２金属板は、前記第５半導体チップの上面および前記第６半導体チップの上面と、前記第３導電層の上面とを接続し、
前記第３金属板は、前記溝を形成する前記封止樹脂の側面から露出する第３露出部を有し、
前記第４金属板は、前記溝を形成する前記封止樹脂の側面から露出する第４露出部を有し、
前記第３露出部および前記第４露出部は、前記第２露出部と前記溝を挟んで対向することを特徴とする請求項３に記載の半導体装置。
【請求項５】
前記第１半導体チップと前記第３半導体チップと前記第４半導体チップは、前記第１導電層の上面に並び、
前記溝は、前記第１半導体チップと前記第３半導体チップと前記第４半導体チップとが並ぶ方向に沿って延びることを特徴とする請求項４に記載の半導体装置。
【請求項６】
前記第１露出部は、前記第１金属板のうち前記第２導電層の上面に設けられた部分よりも高い位置に設けられることを特徴とする請求項３から５の何れか１項に記載の半導体装置。
【請求項７】
前記溝を形成する前記封止樹脂の側面は、絶縁性テープまたは封止材で覆われることを特徴とする請求項１から６の何れか１項に記載の半導体装置。
【請求項８】
第１半導体チップと、
第２半導体チップと、
前記第１半導体チップの上面に設けられた第１金属板と、
前記第２半導体チップの上面に設けられた第２金属板と、
前記第１半導体チップ、前記第２半導体チップ、前記第１金属板および前記第２金属板を覆う封止樹脂と、
を備え、
前記第１金属板の前記第２金属板と対向する端部は、前記封止樹脂の上面に向かって延び、前記封止樹脂の上面から露出し、
前記第２金属板の前記第１金属板と対向する端部は、前記封止樹脂の上面に向かって延び、前記封止樹脂の上面から露出することを特徴とする半導体装置。
【請求項９】
第１半導体チップと、
第２半導体チップと、
前記第１半導体チップの上面と前記第２半導体チップの裏面とを電気的に接続する第１金属板と、
前記第１金属板と離れて設けられ、前記第２半導体チップの裏面と電気的に接続された第１電極端子と、
前記第１半導体チップ、前記第２半導体チップおよび前記第１金属板を収納する収納部と、前記収納部を囲む外周部と、を有するケースと、
前記収納部を封止する封止樹脂と、
を備え、
前記第１電極端子は、前記収納部の外側に延び、
前記第１金属板は前記ケースに固定されることを特徴とする半導体装置。
【請求項１０】
前記ケースは、前記第１金属板を収納し固定する開口を有することを特徴とする請求項９に記載の半導体装置。
【請求項１１】
前記開口の形状は、前記第１金属板の形状に対応することを特徴とする請求項１０に記載の半導体装置。
【請求項１２】
前記第１金属板は、前記外周部に向かって延びる凸部を有し、
前記外周部には、前記凸部と嵌合する凹部が形成されることを特徴とする請求項９に記載の半導体装置。
【請求項１３】
前記第１電極端子は、前記外周部に固定されることを特徴とする請求項９から１２の何れか１項に記載の半導体装置。
【請求項１４】
前記第１金属板の厚さと、前記第１電極端子の厚さは異なることを特徴とする請求項９から１３の何れか１項に記載の半導体装置。
【請求項１５】
前記第１半導体チップをスイッチングさせる信号が入力される信号端子を備え、
前記第１半導体チップは、前記信号端子とワイヤで接続される信号端子接続部を上面に有し、
前記信号端子接続部と前記第１金属板との距離は１ｍｍ以下であることを特徴とする請求項９から１４の何れか１項に記載の半導体装置。
【請求項１６】
前記第１半導体チップまたは前記第２半導体チップの少なくとも１つはワイドバンドギャップ半導体によって形成されていることを特徴とする請求項１から１５の何れか１項に記載の半導体装置。
【請求項１７】
前記ワイドバンドギャップ半導体は、炭化珪素、窒化ガリウム系材料またはダイヤモンドであることを特徴とする請求項１６に記載の半導体装置。
【請求項１８】
第１金属板と、第２金属板とが接続部を介して一体化されたフレームを、第１半導体チップの上面に前記第１金属板が設けられ、第２半導体チップの上面に前記第２金属板が設けられるように搭載し、
前記フレーム、前記第１半導体チップおよび前記第２半導体チップを封止樹脂で覆い、
前記第１金属板と前記第２金属板とが分離するように、前記封止樹脂と共に前記接続部を切り欠き前記封止樹脂に溝を形成すること特徴とする半導体装置の製造方法。
【請求項１９】
前記接続部は、前記フレームの前記接続部と隣接する部分よりも高い位置に設けられることを特徴とする請求項１８に記載の半導体装置の製造方法。
【請求項２０】
収納部と、前記収納部を囲む外周部と、を有するケースの前記外周部に第１電極端子と複数の信号端子とを固定する工程と、
第１半導体チップと、第２半導体チップとを前記収納部に収納し、前記第１電極端子と前記第２半導体チップの裏面とを電気的に接続する収納工程と、
前記収納工程の後に、前記第１半導体チップの上面に設けられた信号端子接続部および前記第２半導体チップの上面に設けられた信号端子接続部と、前記複数の信号端子とをそれぞれワイヤで接続する接続工程と、
前記接続工程の後に、第１金属板を前記ケースに固定し、前記第１金属板で前記第１半導体チップの上面と前記第２半導体チップの裏面とを電気的に接続する工程と、
を備えることを特徴とする半導体装置の製造方法。
【発明の詳細な説明】
【技術分野】
【０００１】
この発明は、半導体装置および半導体装置の製造方法に関する。
【背景技術】
【０００２】
特許文献１には、半導体チップの金属電極が内部接続端子、アルミワイヤにより導体パターンに内部配線された半導体装置が開示されている。また、複数の外部引出端子が導体パターンから樹脂ケースの上面に引き出されている。内部接続端子および外部引出端子は、銅板を加工してなるリードフレームとして構成される。
【先行技術文献】
【特許文献】
【０００３】
【特許文献１】国際公開第２０１２／１５７５８３号
【発明の概要】
【発明が解決しようとする課題】
【０００４】
特許文献１では、外部引出端子と、内部接続端子が別体となっている。このため、内部接続端子の位置決めの精度が低下する可能性がある。【０００５】
本発明は上述の問題を解決するためになされたものであり、その目的は、パッケージ内部の金属板の位置決めの精度を向上できる半導体装置および半導体装置の製造方法を得ることである。
【課題を解決するための手段】
【０００６】
本願の第１の発明に係る半導体装置は、第１半導体チップと、第２半導体チップと、該第１半導体チップの上面に設けられた第１金属板と、該第２半導体チップの上面に設けられた第２金属板と、該第１半導体チップ、該第２半導体チップ、該第１金属板および該第２金属板を覆う封止樹脂と、を備え、該封止樹脂には、該第１金属板と該第２金属板との間に、該封止樹脂の上面から下方に向かって延びる溝が形成され、該第１金属板は、該第２金属板と対向する端部に、該溝を形成する該封止樹脂の側面から露出する第１露出部を有し、該第２金属板は、該第１金属板と対向する端部に、該溝を形成する該封止樹脂の側面から露出する第２露出部を有する。【０００７】
本願の第２の発明に係る半導体装置は、第１半導体チップと、第２半導体チップと、該第１半導体チップの上面に設けられた第１金属板と、該第２半導体チップの上面に設けられた第２金属板と、該第１半導体チップ、該第２半導体チップ、該第１金属板および該第２金属板を覆う封止樹脂と、を備え、該第１金属板の該第２金属板と対向する端部は、該封止樹脂の上面に向かって延び、該封止樹脂の上面から露出し、該第２金属板の該第１金属板と対向する端部は、該封止樹脂の上面に向かって延び、該封止樹脂の上面から露出する。【０００８】
本願の第３の発明に係る半導体装置は、第１半導体チップと、第２半導体チップと、該第１半導体チップの上面と該第２半導体チップの裏面とを電気的に接続する第１金属板と、該第１金属板と離れて設けられ、該第２半導体チップの裏面と電気的に接続された第１電極端子と、該第１半導体チップ、該第２半導体チップおよび該第１金属板を収納する収納部と、該収納部を囲む外周部と、を有するケースと、該収納部を封止する封止樹脂と、を備え、該第１電極端子は、該収納部の外側に延び、該第１金属板は該ケースに固定される。【０００９】
本願の第４の発明に係る半導体装置の製造方法は、第１金属板と、第２金属板とが接続部を介して一体化されたフレームを、該第１半導体チップの上面に該第１金属板が設けられ、該第２半導体チップの上面に該第２金属板が設けられるように搭載し、該フレーム、該第１半導体チップおよび該第２半導体チップを封止樹脂で覆い、該第１金属板と該第２金属板とが分離するように、該封止樹脂と共に該接続部を切り欠き該封止樹脂に溝を形成する。【００１０】
本願の第５の発明に係る半導体装置の製造方法は、収納部と、該収納部を囲む外周部と、を有するケースの該外周部に第１電極端子と複数の信号端子とを固定する工程と、第１半導体チップと、第２半導体チップとを該収納部に収納し、該第１電極端子と該第２半導体チップの裏面とを電気的に接続する収納工程と、該収納工程の後に、該第１半導体チップの上面に設けられた信号端子接続部および該第２半導体チップの上面に設けられた信号端子接続部と、該複数の信号端子とをそれぞれワイヤで接続する接続工程と、該接続工程の後に、第１金属板を該ケースに固定し、該第１金属板で該第１半導体チップの上面と該第２半導体チップの裏面とを電気的に接続する工程と、を備える。
【発明の効果】
【００１１】
本願の第１の発明に係る半導体装置では、第１金属板と第２金属板とが接続部を介して一体化された状態で、第１金属板と第２金属板を封止樹脂で覆い、その後に封止樹脂に溝を設けて接続部を除去できる。従って、パッケージ内部の金属板の位置決めの精度を向上できる。
本願の第２の発明に係る半導体装置では、第１金属板と第２金属板とが接続部を介して一体化された状態で、第１金属板と第２金属板を封止樹脂で覆い、その後に封止樹脂の上面から露出した接続部を除去できる。従って、パッケージ内部の金属板の位置決めの精度を向上できる。
本願の第３の発明に係る半導体装置では、第１金属板はケースに固定される。従って、パッケージ内部の金属板の位置決めの精度を向上できる。
本願の第４の発明に係る半導体装置の製造方法では、第１金属板と第２金属板とが接続部を介して一体化された状態で、第１金属板と第２金属板を封止樹脂で覆う。その後に封止樹脂と共に接続部を切り欠き、接続部を除去する。従って、パッケージ内部の金属板の位置決めの精度を向上できる。
本願の第５の発明に係る半導体装置の製造方法では、信号端子接続部と信号端子とをワイヤボンディングした後に、第１金属板をケースに固定する。従って、第１金属板の位置決めの精度を向上できる。
【図面の簡単な説明】
【００１２】
【図１】実施の形態１に係る半導体装置の平面図である。
【図２】実施の形態１に係る半導体装置の断面図である。
【図３】半導体チップの上にフレームを搭載した状態を示す図である。
【図４】封止工程を説明する図である。
【図５】除去工程を説明する図である。
【図６】実施の形態１の第１の変形例に係る半導体装置の断面図である。
【図７】実施の形態１の第２の変形例に係る半導体装置の断面図である。
【図８】実施の形態１の第３の変形例に係る半導体装置の断面図である。
【図９】実施の形態１の第４の変形例に係る半導体装置の断面図である。
【図１０】実施の形態１の第５の変形例に係る半導体装置の断面図である。
【図１１】実施の形態２に係る半導体装置の製造方法を説明する図である。
【図１２】実施の形態２に係る半導体装置の断面図である。
【図１３】実施の形態３に係る半導体装置の平面図である。
【図１４】実施の形態３の第１の変形例に係る半導体装置の平面図である。
【図１５】実施の形態３の第２の変形例に係る半導体装置の平面図である。
【図１６】実施の形態３の第３の変形例に係る半導体装置の平面図である。
【図１７】実施の形態３の第４の変形例に係る半導体装置の製造方法を説明する図である。
【発明を実施するための形態】
【００１３】
本発明の実施の形態に係る半導体装置および半導体装置の製造方法について図面を参照して説明する。同じ又は対応する構成要素には同じ符号を付し、説明の繰り返しを省略する場合がある。
【００１４】
実施の形態１．
図１は、実施の形態１に係る半導体装置１００の平面図である。図２は、実施の形態１に係る半導体装置１００の断面図である。半導体装置１００は例えば電力変換装置である。本実施の形態では半導体装置１００は３相インバータを構成している。半導体装置１００は、ＤＬＢ（Ｄｉｒｅｃｔ  Ｌｅａｄ  Ｂｏｎｄｉｎｇ）構造を有する。
【００１５】
半導体装置１００では、絶縁基板１０の上に複数の半導体チップが搭載されている。絶縁基板は、絶縁層１０ｂと、絶縁層１０ｂの裏面に設けられた導電層１０ａと、絶縁層１０ｂの上面に設けられた第１導電層１１〜第５導電層１５を有する。第１導電層１１〜第５導電層１５は導電パターンである。
【００１６】
第１導電層１１の上面には、第１半導体チップ２１ａ、第３半導体チップ２３ａ、第４半導体チップ２４ａが設けられる。また、第１導電層１１の上面には、第１ダイオード２１ｂ、第３ダイオード２３ｂ、第４ダイオード２４ｂが設けられる。第２導電層１２の上面には、第２半導体チップ２２ａおよび第２ダイオード２２ｂが設けられる。また、第４導電層１４の上面には、第５半導体チップ２５ａおよび第５ダイオード２５ｂが設けられる。第５導電層１５の上面には、第６半導体チップ２６ａおよび第６ダイオード２６ｂが設けられる。
【００１７】
第１半導体チップ２１ａ〜第６半導体チップ２６ａは、例えばＩＧＢＴ（Ｉｎｓｕｌａｔｅｄ  Ｇａｔｅ  Ｂｉｐｏｌａｒ  Ｔｒａｎｓｉｓｔｏｒ）である。第１半導体チップ２１ａ〜第６半導体チップ２６ａは、ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）であっても良い。第１ダイオード２１ｂ〜第６ダイオード２６ｂは還流ダイオードである。
【００１８】
第１導電層１１は、第１半導体チップ２１ａ、第３半導体チップ２３ａ、第４半導体チップ２４ａのコレクタと電気的に接続される。また、第１導電層１１は、第１ダイオード２１ｂ、第３ダイオード２３ｂ、第４ダイオード２４ｂのカソードと電気的に接続される。第２導電層１２は、第２半導体チップ２２ａのコレクタおよび第２ダイオード２２ｂのカソードと電気的に接続される。第４導電層１４は、第５半導体チップ２５ａのコレクタおよび第５ダイオード２５ｂのカソードと電気的に接続される。第５導電層１５の上面は、第６半導体チップ２６ａのコレクタおよび第６ダイオード２６ｂのカソードと電気的に接続される。
【００１９】
第１半導体チップ２１ａの上面および第１ダイオード２１ｂの上面には、第１金属板３１が設けられる。第１金属板３１は、第１半導体チップ２１ａの上面および第１ダイオード２１ｂの上面と第２導電層１２の上面とを接続する。つまり、第１金属板３１は、第１半導体チップ２１ａの上面と第２半導体チップ２２ａの裏面とを電気的に接続する。
【００２０】
第２半導体チップ２２ａ、第２ダイオード２２ｂ、第５半導体チップ２５ａ、第５ダイオード２５ｂ、第６半導体チップ２６ａおよび第６ダイオード２６ｂの上面には、第２金属板３２が設けられる。第２金属板３２は、第２半導体チップ２２ａ、第２ダイオード２２ｂ、第５半導体チップ２５ａ、第５ダイオード２５ｂ、第６半導体チップ２６ａおよび第６ダイオード２６ｂの上面と、第３導電層１３の上面とを接続する。
【００２１】
第３半導体チップ２３ａの上面および第３ダイオード２３ｂの上面には、第３金属板３３が設けられる。第３金属板３３は、第３半導体チップ２３ａの上面および第３ダイオード２３ｂの上面と第４導電層１４の上面とを接続する。つまり、第３金属板３３は、第３半導体チップ２３ａの上面と第５半導体チップ２５ａの裏面とを電気的に接続する。
【００２２】
第４半導体チップ２４ａの上面および第４ダイオード２４ｂの上面には、第４金属板３４が設けられる。第４金属板３４は、第４半導体チップ２４ａの上面および第４ダイオード２４ｂの上面と第５導電層１５の上面とを接続する。つまり、第４金属板３４は、第４半導体チップ２４ａの上面と第６半導体チップ２６ａの裏面とを電気的に接続する。
【００２３】
第１金属板３１〜第４金属板３４は、第１半導体チップ２１ａ〜第６半導体チップ２６ａのエミッタとそれぞれ電気的に接続される。また、第１金属板３１〜第４金属板３４は、第１ダイオード２１ｂ〜第６ダイオード２６ｂのアノードとそれぞれ電気的に接続される。第１金属板３１〜第４金属板３４は、パッケージ内部に設けられるインナーフレームである。
【００２４】
半導体装置１００は、第１電極端子３５〜第５電極端子３９を備える。第１電極端子３５は、第２導電層１２の上面に設けられ、第２半導体チップ２２ａの裏面と電気的に接続される。第１電極端子３５は、第１金属板３１と同電位であり、第２半導体チップ２２ａおよび第１金属板３１と離れて設けられる。
【００２５】
第２電極端子３６は、第１導電層１１の上面に設けられる。第２電極端子３６は、第１半導体チップ２１ａ、第３半導体チップ２３ａおよび第４半導体チップ２４ａの裏面と電気的に接続される。第２電極端子３６は、第１半導体チップ２１ａ、第３半導体チップ２３ａおよび第４半導体チップ２４ａと離れて設けられる。
【００２６】
第３電極端子３７は、第３導電層１３の上面に設けられる。第３電極端子３７は、第２金属板３２と同電位であり、第２金属板３２と離れて設けられる。
【００２７】
第４電極端子３８は、第４導電層１４の上面に設けられ、第５半導体チップ２５ａの裏面と電気的に接続される。第４電極端子３８は、第３金属板３３と同電位であり、第５半導体チップ２５ａおよび第３金属板３３と離れて設けられる。
【００２８】
第５電極端子３９は、第５導電層１５の上面に設けられ、第６半導体チップ２６ａの裏面と電気的に接続される。第５電極端子３９は、第４金属板３４と同電位であり、第６半導体チップ２６ａおよび第４金属板３４と離れて設けられる。
【００２９】
半導体装置１００は複数の信号端子４０を備える。第１半導体チップ２１ａ〜第６半導体チップ２６ａは、複数の信号端子４０とワイヤ４２で接続される信号端子接続部を上面に有する。信号端子接続部は、第１半導体チップ２１ａ〜第６半導体チップ２６ａのゲート電極である。複数の信号端子４０には、第１半導体チップ２１ａ〜第６半導体チップ２６ａをスイッチングさせる信号がそれぞれ入力される。
【００３０】
第１電極端子３５〜第５電極端子３９は、外部との電力の入出力を行う主電極フレームである。本実施の形態では、第２電極端子３６はインバータのＰ端子である。また、第３電極端子３７は、インバータのＮ端子である。また、第１電極端子３５、第４電極端子３８および第５電極端子３９は、インバータの交流出力端子である。
【００３１】
第１半導体チップ２１ａ、第３半導体チップ２３ａおよび第４半導体チップ２４ａは上部アームを形成する。第２半導体チップ２２ａ、第５半導体チップ２５ａおよび第６半導体チップ２６ａは、下部アームを形成する。上部アームの半導体チップに接続された金属板と交流出力端子との間に、下部アームの半導体チップが配置される。第１電極端子３５〜第５電極端子３９は半導体チップを介さず導電層に接続されている。
【００３２】
絶縁基板１０、第１半導体チップ２１ａ〜第６半導体チップ２６ａ、第１ダイオード２１ｂ〜第６ダイオード２６ｂ、第１金属板３１〜第４金属板３４、第１電極端子３５〜第５電極端子３９および複数の信号端子４０は、封止樹脂５０に覆われる。封止樹脂５０は半導体装置１００のパッケージを形成する。
【００３３】
第１電極端子３５〜第５電極端子３９および複数の信号端子４０は、封止樹脂５０の外側に延びる。このため、第１電極端子３５〜第５電極端子３９および複数の信号端子４０は、半導体装置１００の外部から接続可能である。
【００３４】
封止樹脂５０には、第１金属板３１、第３金属板３３および第４金属板３４と、第２金属板３２との間に、封止樹脂５０の上面から下方に向かって延びる溝５１が形成される。本実施の形態では、第１半導体チップ２１ａと第３半導体チップ２３ａと第４半導体チップ２４ａはパッケージの長手方向に沿って第１導電層１１の上面に並ぶ。同様に、第２半導体チップ２２ａと第５半導体チップ２５ａと第６半導体チップ２６ａは、パッケージの長手方向に沿って並ぶ。溝５１は、第１半導体チップ２１ａと第３半導体チップ２３ａと第４半導体チップ２４ａとが並ぶ方向に沿って延びる。
【００３５】
第１金属板３１は、第２金属板３２と対向する端部に、溝５１を形成する封止樹脂５０の側面から露出する第１露出部３１ｂを有する。第２金属板３２は、第１金属板３１と対向する端部に、溝５１を形成する封止樹脂５０の側面から露出する第２露出部３２ｂを有する。同様に、第３金属板３３は、第２金属板３２と対向する端部に、溝５１を形成する封止樹脂５０の側面から露出する第３露出部３３ｂを有する。また、第４金属板３４は、第２金属板３２と対向する端部に、溝５１を形成する封止樹脂５０の側面から露出する第４露出部３４ｂを有する。第１露出部３１ｂ、第３露出部３３ｂおよび第４露出部３４ｂは、第２露出部３２ｂと溝を挟んで対向する。
【００３６】
次に、半導体装置１００の製造方法を説明する。まず、フレーム３０を、第１半導体チップ２１ａ〜第６半導体チップ２６ａの上に搭載する。図３は、半導体チップの上にフレーム３０を搭載した状態を示す図である。フレーム３０では、第１金属板３１〜第４金属板３４、第１電極端子３５〜第５電極端子３９および複数の信号端子４０が接続部４１を介して一体化されている。
【００３７】
接続部４１は、外部接続部４１ａと内部接続部４１ｂを有する。外部接続部４１ａは、パッケージの外部で第１電極端子３５〜第５電極端子３９および複数の信号端子４０を互いに接続する。内部接続部４１ｂは、パッケージの内部で第１金属板３１〜第４金属板３４を互いに接続する。接続部４１はランナー部材とも呼ばれる。
【００３８】
第１金属板３１〜第４金属板３４、第１電極端子３５〜第５電極端子３９、複数の信号端子４０および接続部４１は導電性の金属から形成される。導電性の金属は例えば銅である。
【００３９】
ここで、フレーム３０は、第１半導体チップ２１ａの上面に第１金属板３１が設けられ、第２半導体チップ２２ａ、第５半導体チップ２５ａおよび第６半導体チップ２６ａの上面に第２金属板３２が設けられるように搭載される。同様に、第３半導体チップ２３ａおよび第４半導体チップ２４ａの上面に第３金属板３３および第４金属板３４がそれぞれ設けられる。
【００４０】
次に、封止工程を実施する。図４は封止工程を説明する図である。封止工程では、絶縁基板１０、第１半導体チップ２１ａ〜第６半導体チップ２６ａおよびフレーム３０を封止樹脂５０で覆う。封止樹脂５０は例えばエポキシ樹脂から形成される。
【００４１】
次に、除去工程を実施する。図５は除去工程を説明する図である。除去工程では、封止樹脂５０と内部接続部４１ｂを同時に切断する。これにより、封止樹脂５０と共に内部接続部４１ｂを切り欠き、封止樹脂５０に溝５１を形成する。除去工程では、第１金属板３１、第３金属板３３および第４金属板３４と、第２金属板３２とが分離および絶縁され、回路が形成される。また、除去工程では外部接続部４１ａも除去され、第１電極端子３５〜第５電極端子３９および複数の信号端子４０が互いに分離される。切断には例えばカッターを用いる。ここで、十分な絶縁距離を確保するように、溝５１の幅を大きくしても良い。
【００４２】
また、図４に示されるように、内部接続部４１ｂは、フレーム３０の内部接続部４１ｂと隣接する部分よりも高い位置に設けられても良い。第１金属板３１は、第２金属板３２と対向する端部に、上方に向かって延びる先端部３１ａを有する。内部接続部４１ｂは、第１金属板３１のうち第２導電層１２の上面に設けられた部分よりも高い位置で、先端部３１ａと第２金属板３２とを繋ぐ。この場合、第１露出部３１ｂは、第１金属板３１のうち第２導電層１２の上面に設けられた部分よりも高い位置に設けられる。
【００４３】
この構成によれば、内部接続部４１ｂを切断する際に、絶縁基板１０の深さまで切断を行う必要がなく、絶縁基板１０が損傷することを防止できる。このため、内部接続部４１ｂを切断し易くすることができ、半導体装置１００の寸法を制御し易くできる。従って、組立性、実装歩留まりおよび信頼性を向上できる。また、溝５１を浅くできるため、加工時間を低減できる。また、先端部３１ａに外部装置を接続し、電圧検出を行っても良い。
【００４４】
本実施の形態では、フレーム３０の接続部４１に治具との位置決め機能を持たせることができる。これにより、精度よく第１金属板３１〜第４金属板３４を配置できる。また、第１金属板３１〜第４金属板３４が接続部４１を介して一体化された状態で、樹脂封止を行い、その後に封止樹脂５０に溝５１を設けて接続部４１を除去する。封止樹脂５０で固定された状態で接続部４１を切断するため、精度よく切断ができる。また、第１金属板３１〜第４金属板３４の位置ずれを防止できる。従って、パッケージ内部の金属板の位置決めの精度を向上できる。
【００４５】
また、主電極端子が半導体素子と直接接続されている構造では、過負荷での半導体素子の動作時に、主電極端子が半導体素子からの熱干渉を受ける可能性がある。このとき、製品の使用温度限界に主電極端子の温度が近づくおそれがある。これに対し、本実施の形態では、第１電極端子３５〜第５電極端子３９が放熱面に近い第１導電層１１〜第５導電層１５に直接接合される。ここで、放熱面は例えば絶縁基板１０の裏面である。従って、主電極端子の温度を抑制できる。
【００４６】
また、本実施の形態では、第１電極端子３５〜第５電極端子３９が第１導電層１１〜第５導電層１５に直接接合されるため、ケースを設けなくても良い。従って、主電極端子をケースにインサート成型した構造よりも、半導体装置１００を小型化できる。
【００４７】
図６は、実施の形態１の第１の変形例に係る半導体装置２００の断面図である。半導体装置２００では、絶縁基板１０の裏面にベース板２６０が設けられる。ベース板２６０によりさらに高い放熱性を確保できる。また、半導体装置２００の反りを抑制できる。
【００４８】
図７は、実施の形態１の第２の変形例に係る半導体装置３００の断面図である。半導体装置３００において、第１導電層３１１、第２導電層３１２は導電板である。同様に、第３導電層〜第５導電層も導電板から形成される。第１導電層３１１、第２導電層３１２の裏面には、絶縁シート３１０ｂが設けられる。絶縁シート３１０ｂは絶縁板であっても良い。導電パターンに代えて導電板を用いることで放熱性を向上できる。また、半導体装置３００の反りを抑制できる。
【００４９】
図８は、実施の形態１の第３の変形例に係る半導体装置４００の断面図である。半導体装置４００はベース板４６０と、ベース板４６０の上に設けられ、絶縁基板１０を収納するケース４７０を備える。ケース４７０により封止樹脂５０の位置を決めることができる。従って、封止樹脂５０の位置を決めるための金型を用意しなくて良い。
【００５０】
図９は、実施の形態１の第４の変形例に係る半導体装置５００の断面図である。半導体装置５００では、溝５１を形成する封止樹脂５０の側面は、絶縁性テープ５５２で覆われる。つまり、第１露出部３１ｂ〜第４露出部３４ｂは絶縁性テープ５５２で覆われる。絶縁性テープ５５２の貼付けを行うことで、絶縁性を確保できる。
【００５１】
また、絶縁性テープ５５２に限らず絶縁性の封止材の塗布を行っても良い。溝５１に設けられる封止材は、例えばエポキシ樹脂またはシリコーンゲルである。封止材は、ポッティングにより設けられる。
【００５２】
図１０は、実施の形態１の第５の変形例に係る半導体装置１００ａの断面図である。半導体装置１００ａでは、第１半導体チップ２１ａ〜第６半導体チップ２６ａおよび第１ダイオード２１ｂ〜第６ダイオード２６ｂの代わりに、第１半導体チップ２１〜第６半導体チップ２６が設けられている。第１半導体チップ２１〜第６半導体チップ２６はＲＣ（Ｒｅｖｅｒｓｅ−ｃｏｎｄｕｃｔｉｎｇ）−ＩＧＢＴである。また、第１半導体チップ２１〜第６半導体チップ２６は、ＭＯＳＦＥＴであっても良く、還流をボディダイオードで行っても良い。
【００５３】
半導体装置１００ａでは、第１半導体チップ２１〜第６半導体チップ２６として一つのチップでスイッチングと還流を行うものを用いる。これにより、半導体装置１００ａを小型化できる。また、一般に一つのチップでスイッチングと還流を行う場合、主電極端子への熱干渉が大きくなる。本実施の形態の構造は、上述したように放熱性を向上し主電極端子の温度を抑制できる。このため、半導体装置１００ａのように一つのチップでスイッチングと還流を行う場合に特に有効である。
【００５４】
また、第１半導体チップ２１ａ〜第６半導体チップ２６ａおよび第１ダイオード２１ｂ〜第６ダイオード２６ｂの少なくとも１つはワイドバンドギャップ半導体によって形成されていても良い。ワイドバンドギャップ半導体は、炭化珪素、窒化ガリウム系材料またはダイヤモンドである。ワイドバンドギャップ半導体は、有効面積を広げることが一般に困難である。このため、金属層を直接接合できるＤＬＢ構造を採用することで、組み立て性を向上できる。
【００５５】
また、一般にワイドバンドギャップ半導体によって形成されたスイッチング素子およびダイオード素子は、耐電圧性が高く、許容電流密度が高い。このため、半導体装置１００をさらに小型化できる。
【００５６】
また、本実施の形態では、溝５１は、第１半導体チップ２１ａ、第３半導体チップ２３ａおよび第４半導体チップ２４ａが並ぶ方向に沿って延びる。これに限らず、複数の溝５１が、パッケージのうち、第１金属板３１と第２金属板３２に挟まれる部分と、第３金属板３３と第２金属板３２に挟まれる部分と、第４金属板３４と第２金属板３２に挟まれる部分とにそれぞれ設けられても良い。
【００５７】
また、本実施の形態では半導体装置１００が３相インバータである例を示した。これに限らず、半導体装置１００はＤＬＢ構造を有するあらゆる半導体装置であっても良い。また、本実施の形態の半導体装置１００は半導体チップを６つ備える。半導体装置１００は、これに限らず半導体チップを２つ以上備えればよい。半導体装置１００は単相のインバータ等であっても良い。
【００５８】
これらの変形は以下の実施の形態に係る半導体装置および半導体装置の製造方法について適宜応用することができる。なお、以下の実施の形態に係る半導体装置および半導体装置の製造方法については実施の形態１との共通点が多いので、実施の形態１との相違点を中心に説明する。
【００５９】
実施の形態２．
図１１は、実施の形態２に係る半導体装置６００の製造方法を説明する図である。本実施の形態では、フレーム６３０の構造が実施の形態１と異なる。フレーム６３０において、第１金属板３１の第２金属板３２と対向する端部は、封止樹脂５０の上面に向かって延び、封止樹脂５０の上面から露出する。また、第２金属板３２の第１金属板３１と対向する端部は、封止樹脂５０の上面に向かって延び、封止樹脂５０の上面から露出する。第１金属板３１の端部と第２金属板３２の端部は、上方に向かって並行して延びる。
【００６０】
同様に、第３金属板３３の第２金属板３２と対向する端部は、封止樹脂５０の上面に向かって延び、封止樹脂５０の上面から露出する。第４金属板３４の第２金属板３２と対向する端部は、封止樹脂５０の上面に向かって延び、封止樹脂５０の上面から露出する。
【００６１】
内部接続部６４１ｂは、第１金属板３１の封止樹脂５０から露出した部分と第２金属板３２の封止樹脂５０から露出した部分とを繋ぐ。同様に、内部接続部６４１ｂは、第３金属板３３および第４金属板３４の封止樹脂５０から露出した部分と、第２金属板３２の封止樹脂５０から露出した部分とを繋ぐ。実施の形態では、内部接続部６４１ｂが封止樹脂５０の上面より高い位置に設けられる。除去工程では、封止樹脂５０を切断せずに、内部接続部６４１ｂを切断する。
【００６２】
図１２は、実施の形態２に係る半導体装置６００の断面図である。半導体装置６００では、第１金属板３１の端部が封止樹脂５０の上面から露出することで、第１露出部６３１ｂが形成される。また、第２金属板３２の端部が封止樹脂５０の上面から露出することで、第２露出部６３２ｂが形成される。同様に、第３金属板３３および第４金属板３４の端部が封止樹脂５０の上面から露出することで、第３露出部および第４露出部が形成される。
【００６３】
本実施の形態では、封止樹脂５０を切断しないため、異物となる樹脂くずが発生しない。従って、信頼性を向上できる。
【００６４】
本実施の形態では、金属板は封止樹脂５０の上面から露出するものとした。これに限らず、金属板は封止樹脂５０の側面から露出しても良い。
【００６５】
実施の形態３．
図１３は、実施の形態３に係る半導体装置７００の平面図である。半導体装置７００はケース７７０を備える。ケース７７０は、収納部７７１と、収納部７７１を囲む外周部７７２とを有する。収納部７７１は、絶縁基板１０、第１半導体チップ２１ａ〜第６半導体チップ２６ａ、第１ダイオード２１ｂ〜第６ダイオード２６ｂおよび第１金属板３１〜第４金属板３４を収納する。収納部７７１は封止樹脂５０に封止される。図１３では便宜上、封止樹脂５０は省略されている。封止樹脂５０は例えばエポキシ樹脂またはシリコーンゲルから形成される。
【００６６】
第１電極端子３５〜第５電極端子３９は収納部７７１の外側に延びる。第１電極端子３５〜第５電極端子３９および信号端子４０は外周部７７２に固定される。
【００６７】
ケース７７０は固定部７７３を備える。固定部７７３は、第１半導体チップ２１ａ、第３半導体チップ２３ａおよび第４半導体チップ２４ａが並ぶ方向に帯状に設けられる。固定部７７３は、第１金属板３１、第３金属板３３および第４金属板３４の上に設けられる。固定部７７３は、第１金属板３１、第３金属板３３および第４金属板３４をケース７７０に固定する。
【００６８】
また、第２金属板３２からは、外周部７７２に向かって固定部７３２ａが延びる。固定部７３２ａによって第２金属板３２はケース７７０に固定される。以上から、第１金属板３１〜第４金属板３４はケース７７０に固定される。
【００６９】
本実施の形態では、第１金属板３１〜第４金属板３４および第１電極端子３５〜第５電極端子３９はケース７７０と一体化されている。これにより、半導体装置７００の寸法を制御し易くできる。また、半導体装置７００の実装歩留および信頼性を向上できる。また、接続部４１の除去工程が必要ないため、半導体装置７００を容易に組み立てできる。
【００７０】
また、第１金属板３１〜第４金属板３４がケース７７０から独立している場合、一般に、治具によって位置決めをして組立を実施する必要がある。本実施の形態では、位置決めのための治具が不要となり、組立コストを低減できる。
【００７１】
また、帯状の固定部７７３は、第２金属板３２の上に設けられ、第２金属板３２をケース７７０に固定しても良い。
【００７２】
図１４は、実施の形態３の第１の変形例に係る半導体装置７００ａの平面図である。半導体装置７００ａでは、第１金属板３１〜第４金属板３４の厚さと、第１電極端子３５〜第５電極端子３９の厚さが異なる。本実施の形態では、第１金属板３１〜第４金属板３４と、第１電極端子３５〜第５電極端子３９とが、接続部４１で接続されず、別個に設けられる。従って、第１金属板３１〜第４金属板３４の厚さと、第１電極端子３５〜第５電極端子３９の厚さを、それぞれ設定できる。
【００７３】
例えば、第１電極端子３５〜第５電極端子３９を厚く、第１金属板３１〜第４金属板３４を薄く形成しても良い。これにより、厚い第１電極端子３５〜第５電極端子３９により、大電流通電が可能となる。また、薄い第１金属板３１〜第４金属板３４により半導体チップへの応力を低減させることができる。
【００７４】
このような構造は、半導体チップがＳｉＣから形成される場合に特に有効である。ＳｉＣは一般に縦弾性係数が高いため、半導体チップが第１金属板３１〜第４金属板３４から受ける応力が大きくなり易い。半導体装置７００ａでは、第１金属板３１〜第４金属板３４を薄くすることにより、応力を低減でき、信頼性を向上できる。
【００７５】
また、第１金属板３１〜第４金属板３４を厚くしても良い。これにより、半導体チップの放熱性を向上できる。
【００７６】
図１５は、実施の形態３の第２の変形例に係る半導体装置８００の平面図である。ケース８７０は、位置決め部８７４を有する。位置決め部８７４は、第１金属板３１〜第４金属板３４を収納し固定する複数の開口８７４ａを有する。複数の開口８７４ａの形状は、第１金属板３１〜第４金属板３４の形状にそれぞれ対応する。半導体装置８００においても、位置決めのための治具が不要となり、組立コストを低減できる。
【００７７】
なお、信号端子４０とのワイヤボンディングが可能なように、第１半導体チップ２１ａ〜第６半導体チップ２６ａの信号端子接続部は位置決め部８７４から露出している。
【００７８】
図１６は、実施の形態３の第３の変形例に係る半導体装置９００の平面図である。半導体装置９００はケース９７０を備える。第１金属板３１〜第４金属板３４は、ケース９７０の外周部９７２に向かって延びる凸部９３１ａ〜９３４ａをそれぞれ有する。外周部９７２には、凸部９３１ａ〜９３４ａとそれぞれ嵌合する複数の凹部９７２ａが形成される。
【００７９】
凸部９３１ａ〜９３４ａと複数の凹部９７２ａが勘合することで、第１金属板３１〜第４金属板３４は、ケース９７０に対して位置決めされる。半導体装置９００においても、位置決めのための治具が不要となり、組立コストを低減できる。
【００８０】
図１７は、実施の形態３の第４の変形例に係る半導体装置８００の製造方法を説明する図である。図１７では、便宜上、位置決め８７４は省略されている。半導体装置８００は、以下のように製造しても良い。まず、ケース８７０の外周部８７２に第１電極端子３５〜第５電極端子３９と複数の信号端子４０とを固定する。
【００８１】
次に、収納工程を実施する。収納工程では、第１半導体チップ２１ａ〜第６半導体チップ２６ａを収納部８７１に収納する。これにより、第１電極端子３５と第２半導体チップ２２ａの裏面とが電気的に接続される。また、第２電極端子３６と、第１半導体チップ２１ａ、第３半導体チップ２３ａおよび第４半導体チップ２４ａの裏面とが電気的に接続される。また、第４電極端子３８および第５電極端子３９と、第５半導体チップ２５ａおよび第６半導体チップ２６ａの裏面とが、それぞれ電気的に接続される。
【００８２】
収納工程の後に接続工程を実施する。接続工程では、第１半導体チップ２１ａ〜第６半導体チップ２６ａの上面に設けられた複数の信号端子接続部と、複数の信号端子とをそれぞれワイヤで接続する。図１７には、例として第１半導体チップ２１ａの信号端子接続部２１ｃが図示されている。
【００８３】
接続工程の後に、第１金属板３１〜第４金属板３４をケース８７０に固定する。つまり、複数の開口８７４ａに第１金属板３１〜第４金属板３４をそれぞれ収納する。これにより、第１金属板３１で第１半導体チップ２１ａの上面と第２半導体チップ２２ａの裏面とが電気的に接続される。同様に、第２金属板３２で、第２半導体チップ２２ａ、第５半導体チップ２５ａおよび第６半導体チップ２６ａの上面と、第３導電層１３の上面とを接続する。また、第３金属板３３で第３半導体チップ２３ａの上面と第５半導体チップ２５ａの裏面とを電気的に接続し、第４金属板３４で第４半導体チップ２４ａの上面と第６半導体チップ２６ａの裏面とを電気的に接続する。
【００８４】
半導体装置８００では、絶縁基板１０をケース８７０に収納した後に、第１金属板３１〜第４金属板３４をケース８７０に取り付けることができる。このため、半導体チップと信号端子４０とのワイヤボンディングを実施した後に、第１金属板３１〜第４金属板３４をケース８７０に取り付けることができる。これにより、第１金属板３１〜第４金属板３４と半導体チップの信号端子接続部との距離を狭くすることができる。信号端子接続部２１ｃと第１金属板３１との距離は、例えば１ｍｍ以下である。
【００８５】
半導体装置８００では、信号端子接続部と金属板との距離を小さくすることで、半導体チップの主電流通電部の面積を広くできる。従って、電流密度を向上できる。また、第４の変形例の製造方法を半導体装置９００に適用しても良い。
【００８６】
なお、各実施の形態で説明した技術的特徴は適宜に組み合わせて用いても良い。
【符号の説明】
【００８７】
１００、１００ａ、２００、３００、４００、５００、６００、７００、７００ａ、８００、９００  半導体装置、１０ｂ  絶縁層、１１〜１５  第１導電層〜第５導電層、２１〜２６、２１ａ〜２６ａ  第１半導体チップ〜第６半導体チップ、２１ｃ  信号端子接続部、３０、６３０  フレーム、３１〜３４  第１金属板〜第４金属板、３１ｂ、６３１ｂ  第１露出部、３２ｂ、６３２ｂ  第２露出部、３３ｂ  第３露出部、３４ｂ  第４露出部、３５〜３９  第１電極端子〜第５電極端子、４０  信号端子、４１  接続部、４２  ワイヤ、５０  封止樹脂、５１  溝、５５２  絶縁性テープ、４７０、７７０、８７０、９７０  ケース、７７１、８７１  収納部、７７２、８７２、９７２  外周部、８７４ａ  開口、９３１ａ〜９３４ａ  凸部、９７２ａ  凹部
【図１】
2020136805.tif 000003
【図２】
2020136805.tif 000004
【図３】
2020136805.tif 000005
【図４】
2020136805.tif 000006
【図５】
2020136805.tif 000007
【図６】
2020136805.tif 000008
【図７】
2020136805.tif 000009
【図８】
2020136805.tif 000010
【図９】
2020136805.tif 000011
【図１０】
2020136805.tif 000012
【図１１】
2020136805.tif 000013
【図１２】
2020136805.tif 000014
【図１３】
2020136805.tif 000015
【図１４】
2020136805.tif 000016
【図１５】
2020136805.tif 000017
【図１６】
2020136805.tif 000018
【図１７】
2020136805.tif 000019
【国際調査報告】
2020136805.tif 000020
2020136805.tif 000021
2020136805.tif 000022
2020136805.tif 000023